(57)【要約】【課題】ノートパソコン等の新幹線車内、自動車車内等での使用時に液晶画面上扉が車両の揺れにて画面が動く事を防止する。【解決手段】ヒンジ装置で止めるのではなくべつの固定装置にて停止出来る様にする。【選択図】      図２
2004164528.tif 000002
【特許請求の範囲】
【請求項１】
ノートパソコン等の上扉（液晶画面）を従来のヒンジにて停止、固定させるのではなく別の機構を設け停止、固定するようにした。
【請求項２】
本体側（キーボード側）よりせり上がる摩擦体を上扉の一部に圧接させ固定する方法。
【請求項３】
本体キーボード側内部において上扉（液晶画面）と連動するシャフト等を摩耗体にて圧接させ固定する方法。
【発明の詳細な説明】
【０００１】
【発明の属する技術分野】
本発明はノートパソコン等な上扉（液晶画面）が動いて見ている画面角度変化する現象、例えば新幹線車両内、自動車車内で使用した時の状況等、車両の走行中の揺れ等で上扉（液晶画面）が動き画面が見にくい、使用勝手が悪くなるというような製品等に取り付け使用され、上扉（液晶画面）を揺れ等で任意の角度（見やすい角度）が動かぬよう固定する様にした装置である。
【０００２】
【従来の技術】
従来、ノートパソコン等では使用時に画面液晶部、上扉３を任意の角度で止まる事が望ましい、一般的に使用するのであれば、画面液晶部、上扉３を止める力は上扉の重さにより変更され、例えば、図１の様に画面液晶部、上扉３が８５０ｇある場合６ｋｇ  ｆ／ｃｍ位の抵抗感のある抵抗ヒンジ２１、２２を２個使用し上扉が自重落下しない、又、任意の角度（使用者の見やすい角度）にて強制的止まる設計がされているが、合計１２ｋｇ  ｆ／ｃｍの抵抗感と画面液晶部、上扉３の倒れ重力が加わり開閉するときの重さ感覚が大きくしかも、本体（キーボード側）２が持ち上がるという現象があり、本体（キーボード側）２を押さえて開けないといけないばかりか、会社、自宅での机上、普通揺れ等無いところでの使用時、この抵抗力片側６ｋｇ  ｆ／ｃｍ位の抵抗感では問題がないが、例えば、新幹線車内、自動車車内等での使用時では新幹線、自動車の揺れ等で画面液晶部、すなわち上扉３がグラグラと揺れて画面が見にくい現象が出ていた、
【０００３】
又、この種の抵抗ヒンジ２１、２２装置だけで強制的に任意の角度に停止させるには、抵抗ヒンジ２１、２２装置に大きな力（摩擦抵抗力）を必要とし、抵抗ヒンジ２１、２２装置の大型化、抵抗ヒンジ２１、２２装置抵抗部の早期摩耗等があり製品を５年位使用したいと思っても、使用頻度によっては２年から３年位で抵抗ヒンジ２１、２２装置が使用不能との現象も出ている。
【０００４】
【発明が解決しようとする課題】
従来方式にて、この種の抵抗ヒンジ装置のみにて液晶画面（上扉）を強制的に任意の角度に停止させるには、抵抗ヒンジ装置の抵抗感を大きくしたものを使用し、物理的に金属と金属のスプリング効果圧接にて行う、しかしながら理論では大きな締め付け力で圧接抵抗を求める事が出来るが、実際に部品を作り、ある力（抵抗力）以上求めるとき、金属に焼き入れ、又は、化学変化にて表面硬度を上げて使用するが、この種の製品は小さく、軽く、薄くとの要望にて極限的に小さくなっている、故に抵抗感を出す場所の圧接面積が小さくなり無理な構造にて使用している、従って液晶画面（上扉）開閉回数の減少、開け閉め時での非常に重い感覚があり、パソコン本体箱体、液晶画面（上扉）側の取り付け部品、ステーの強度も上げなければならない為の部品代の高騰、又、回転動作させるステーは高価なバネ鋼材仕様部品使用にて金型早期破損等の問題点を有していた。
【０００５】
本発明は、従来の技術の有するこの様な問題点に鑑みてなされたものであり、その目的は軽く、スムースに液晶画面（上扉）が開閉出来、子供、又は、女性、年配者が開閉しても、簡単に液晶画面（上扉）が開閉出来得て、ノートパソコン等使用時では使用者の見やすい角度にて確実に停止える構造、及び、装置を提供することを目的としている。
【０００６】
【課題を解決するための手段】
上記目的を達成するために、本発明の開閉上扉ロック機構はパソコン等ヒンジの抵抗感を大きくする事なく、必要最小限に抑え、開閉については軽く、スムースに開け閉め出来、しかも必要なときに確実に液晶画面（上扉）３を固定すればよい、抵抗ヒンジ２１、２２にて液晶画面（上扉）３の使用者の見やすい位置での確実な停止まで求める事なく、別の装置、即ち本発明を併用し画面液晶部、上扉３を確実に固定するようにすればよい、しかも６ｋｇ  ｆ／ｃｍ位の抵抗感のある抵抗ヒンジ２１、２２を従来通り２個使用と考える場合、計算上４ｋｇ  ｆ／ｃｍの抵抗ヒンジ２１、２２でよく、抵抗ヒンジの抵抗値を７ｋｇ  ｆ／ｃｍのものを使用するなら、１個の使用でも可能である、そしてスプリングを利用した、片側のみヒンジ装置使用のパソコンヒンジシステム、及び、電動ヒンジシステムにも使用頻度の多大さから起きえる、システム（特許文献１参照）でのギアー等の摩耗にて発生する少量の空転現象も固定することで快適環境で使用できるようになる。
【特許文献１】
特願  ２００２−９９２３３
【０００７】
構造としては本体側から液晶画面（上扉）の一部例えば底辺アール部分に硬質ゴム等摩擦体にて圧接摩擦にて止める方法があるが、硬質ゴム等摩擦体が液晶画面（上扉）に圧接する箇所の液晶画面（上扉）形状はそのままでも、又、小さな歯車状、アール凹み形状等が考えられる、又、液晶画面（上扉）に圧接する箇所の硬質ゴム等摩擦体の形状は液晶画面（上扉）の形状に合わせ使用すればよい、摩擦体の材質は硬質ゴムに限らず紙ヤスリ、圧接面を粗くした金属等が考えられるが圧接させて液晶画面（上扉）が確実に停止すれば良い。
【０００８】
又、本体内部にて液晶画面（上扉）が接続するシャフト、及び、シャフトに繋がるステー（液晶画面側に取り付け固定するもの）等を圧接摩擦にて止める方法があるが、これも液晶画面（上扉）が確実に停止すれば良い。
【０００９】
【発明の実施の形態】
発明の実施の形態を実施例にもとづき図面を参照して説明する。
図２は液晶画面（上扉）３底辺のアール部分に小さなギアー形状の凹凸を付け、その凹凸に硬質ゴム等摩擦体２５を本体（キーボード側）２より摩擦体圧接本体押し上げカム２７等を利用して圧接して止めるようにした、小さなギアー形状の凹凸を付けた事により、その凹凸に硬質ゴム等摩擦体２５が食い込みより確実に小さな圧接力にて液晶画面（上扉）３を任意の位置で停止する事が出来る。
【００１０】
又、図３のように液晶画面（上扉）３アール形状の部分に何も付けず（凹凸等）、液晶画面（上扉）３半のアール形に沿った形状の硬質ゴム等利用した摩擦体２５、摩擦体圧接本体２６をパソコン本体２（キーボード側）より摩擦体圧接本体押し上げカム２７等を利用して圧接して液晶画面（上扉）３を止めるようにした方法も良い。これは停止力が弱いものの、例えば、停止ロック機構が掛かっていて、知らずに液晶画面（上扉）３を閉じようとしたときにスリップしパソコン等機材を破壊する事がなくこの方法も有効である。
【００１１】
図４ではパソコン本体２（キーボード側）内部にて液晶画面（上扉）３を回転動作させるシャフト２８に硬質ゴム等利用した摩擦体２５が接着固定された摩擦体圧接本体２６に摩擦体圧接本体押し上げカム２７等を利用して圧接して止めるようにした方法もあるが、この場合、圧接する部分のシャフト２８の表面にはローレット加工しておくのも効果的である。
【００１２】
【発明の効果】
本発明は、以上説明したように構成されているので、以下に記載されるような効果を奏する。
【００１３】
図２、図３、図４のように作られた液晶画面（上扉）３固定装置により、今まで固く、重いと言う感覚にてノートパソコン等の液晶画面（上扉）３を開閉していたものを、必要最小限の抵抗感にて開閉出来るようにし、自宅、会社等外部から揺れのないところでの使用は固定装置を使用しなくても良い様にしたが、勿論、本ロック機構常時使用しても差し支えない。
【００１４】
新幹線車内、自動車車内等での使用時では新幹線車内、自動車車内の揺れ等で画面液晶部、すなわち上扉がグラグラと揺れて画面が見にくい現象が出てくると予想された場合使用するが、常時使用も差し支えない。
【００１５】
そして上記固定装置の役割により、ヒンジ装置の小型化、高耐久性、スムースな開閉、安価でトラブルが皆無になり高級感が有り生産性の向上が図られる。
【図面の簡単な説明】
【図１】従来のヒンジを２個使用した斜め鳥瞰図である。
【図２】本発明の本体側から液晶画面を停止するようにした方式１の斜め鳥瞰図である。カム操作により矢印のように動作し圧接停止させる。
【図３】本発明の本体側から液晶画面を停止するようにした方式２の斜め鳥瞰図である。
【図４】本発明の本体側内部にて液晶画面上扉に繋がるシャフトを停止するようにした方式３の断面図である。
【符号の説明】
１・・・キーボード
２・・・パソコン本体
３・・・上扉
４・・・表示画面（液晶部）
５・・・操作ボタン
６・・・マウス機構
２１・・・抵抗ヒンジ右側
２２・・・抵抗ヒンジ左側
２３・・・抵抗ヒンジ右側（カバー付）
２４・・・抵抗ヒンジ左側（カバー付）
２５・・・摩擦体（硬質ゴム等）
２６・・・摩擦体圧接本体
２７・・・摩擦体圧接本体押し上げカム
２８・・・シャフト
【図１】
2004164528.tif 000003
【図２】
2004164528.tif 000004
【図３】
2004164528.tif 000005
【図４】
2004164528.tif 000006